(57)【特許請求の範囲】
【請求項１】
第１の解像度の第１のビデオフォーマットの映像信号を入力する入力手段と、
前記入力手段により入力された前記第１のビデオフォーマットの映像信号を前記第１の解像度よりも低い第２の解像度の第２のビデオフォーマットの映像信号に変換する映像信号変換手段と、
文字画像情報を保持するメモリと、
前記第１のビデオフォーマットの映像信号に前記メモリより読み出した文字画像情報を合成する第１の合成手段と、
前記第１の合成手段により合成された信号を出力する第１の出力手段と、
前記メモリより読み出した文字画像情報を２×２の４画素単位に縮小する縮小手段と、
前記第２のビデオフォーマットの映像信号に前記縮小手段により縮小された文字画像情報を合成する第２の合成手段と、
前記第１の出力手段による出力と並列して、前記第２の合成手段により合成された信号を出力する、前記第１の出力手段とは別の第２の出力手段
とを有することを特徴とする映像信号処理装置。
【請求項２】
第１の解像度の第１のビデオフォーマットの映像信号を入力する入力手段と、
前記入力手段により入力された前記第１のビデオフォーマットの映像信号を前記第１の解像度よりも低い第２の解像度の第２のビデオフォーマットの映像信号に変換する映像信号変換手段と、
文字画像情報を保持するメモリと、
前記第２のビデオフォーマットの映像信号に前記メモリより読み出した文字画像情報を合成する第１の合成手段と、
前記第１の合成手段により合成された信号を出力する第１の出力手段と、
前記メモリより読み出した文字画像情報の合成位置に関する情報を変更する位置情報変更手段と、
前記メモリより読み出した文字画像情報を拡大する拡大手段と、
前記位置情報変更手段により合成位置に関する情報が変更された文字画像情報と前記拡大手段からの文字画像情報のうちの一部を選択する選択手段と、
前記第１のビデオフォーマットの映像信号に前記選択手段により選択された文字画像情報を合成する第２の合成手段と、
前記第２の合成手段により合成された信号を出力する第２の出力手段
とを有することを特徴とする映像信号処理装置。
【請求項３】
更に、前記第１のビデオフォーマットの映像信号に前記文字画像情報を合成する際に、合成する位置に応じて前記文字画像情報の表示のオンオフを切換えるよう前記第２の合成手段を制御する制御手段を有することを特徴とする請求項２に記載の映像信号処理装置。
【請求項４】
前記拡大手段は、縦横整数倍に前記文字画像情報を拡大することを特徴とする請求項２又は３に記載の映像信号処理装置。
【請求項５】
第１の解像度の第１のビデオフォーマットの映像信号を入力する入力手段と、
前記入力手段により入力された前記第１のビデオフォーマットの映像信号を前記第１の解像度よりも低い第２の解像度の第２のビデオフォーマットの映像信号に変換する映像信号変換手段と、
文字画像情報を保持するメモリと、
前記第２のビデオフォーマットの映像信号に前記メモリより読み出した文字画像情報を合成する第１の合成手段と、
前記第１の合成手段により合成された信号を出力する第１の出力手段と、
前記メモリより読み出した文字画像情報を拡大する拡大手段と、
前記拡大手段により拡大された文字画像情報と、前記メモリより読み出した文字画像情報の一方を選択する選択手段と、
前記第１のビデオフォーマットの映像信号に前記選択手段により選択された文字画像情報を合成する第２の合成手段と、
前記第１の出力手段による出力と並列して、前記第２の合成手段により合成された信号を出力する、前記第１の出力手段とは別の第２の出力手段
とを有することを特徴とする映像信号処理装置。
【請求項６】
前記拡大手段は、縦横整数倍に前記文字画像情報を拡大することを特徴とする請求項５に記載の映像信号処理装置。
【請求項７】
第１の解像度の第１のビデオフォーマットの映像信号を入力する入力手段と、
前記入力手段により入力された前記第１のビデオフォーマットの映像信号を前記第１の解像度よりも低い第２の解像度の第２のビデオフォーマットの映像信号に変換する映像信号変換手段と、
文字画像情報を保持するメモリと、
前記第２のビデオフォーマットの映像信号に前記メモリより読み出した文字画像情報を合成する第１の合成手段と、
前記第１の合成手段により合成された信号を出力する第１の出力手段と、
前記メモリより読み出した文字画像情報を拡大する拡大手段と、
前記第１のビデオフォーマットの映像信号に前記拡大手段により拡大された文字画像情報を合成する第２の合成手段と、
前記第２の合成手段により合成された信号を出力する第２の出力手段と、
前記第１のビデオフォーマットの映像信号に前記文字画像情報を合成する際に、合成する位置に応じて前記文字画像情報の表示のオンオフを切換えるよう前記第２の合成手段を制御する制御手段
とを有することを特徴とする映像信号処理装置。
【請求項８】
前記拡大手段は、縦横整数倍に前記文字画像情報を拡大することを特徴とする請求項７に記載の映像信号処理装置。
【請求項９】
前記第１のビデオフォーマットがＨＤフォーマットであり、前記第２のビデオフォーマットがＳＤフォーマットである請求項１乃至８の何れか１項に記載の映像信号処理装置。
【請求項１０】
前記入力手段は撮像手段であることを特徴とする請求項１乃至９の何れか１項に記載の映像信号処理装置。
【請求項１１】
第１の解像度の第１のビデオフォーマットの映像信号を前記第１の解像度よりも低い第２の解像度の第２のビデオフォーマットの映像信号に変換する映像信号変換ステップと、
前記第１のビデオフォーマットの映像信号に、文字画像情報を保持するメモリより読み出した前記文字画像情報を合成する第１の合成ステップと、
前記メモリより読み出した前記文字画像情報を２×２の４画素単位に縮小する縮小ステップと、
前記第２のビデオフォーマットの映像信号に前記縮小ステップにより縮小された文字画像情報を合成する第２の合成ステップと、
前記第１の合成ステップにより合成された信号及び前記第２の合成ステップにより合成された信号を互いに異なる出力手段から出力するステップ
とを有することを特徴とする映像信号処理方法。
【請求項１２】
第１の解像度の第１のビデオフォーマットの映像信号を前記第１の解像度よりも低い第２の解像度の第２のビデオフォーマットの映像信号に変換する映像信号変換ステップと、
前記第２のビデオフォーマットの映像信号に、文字画像情報を保持するメモリより読み出した前記文字画像情報を合成する第１の合成ステップと、
前記メモリより読み出した前記文字画像情報の合成位置に関する情報を変更する位置情報変更ステップと、
前記第１のビデオフォーマットの映像信号に、前記位置情報変更ステップにより変更された合成位置に関する情報に基づいて前記文字画像情報を合成する第２の合成ステップと、
前記第１の合成ステップにより合成された信号及び前記第２の合成ステップにより合成された信号を出力するステップと、
前記第１のビデオフォーマットの映像信号に前記文字画像情報を合成する際に、合成する位置に応じて前記文字画像情報の表示のオンオフを切換えるよう前記第２の合成ステップを制御する制御ステップ
とを有することを特徴とする映像信号処理方法。
【請求項１３】
第１の解像度の第１のビデオフォーマットの映像信号を前記第１の解像度よりも低い第２の解像度の第２のビデオフォーマットの映像信号に変換する映像信号変換ステップと、
前記第２のビデオフォーマットの映像信号に、文字画像情報を保持するメモリより読み出した前記文字画像情報を合成する第１の合成ステップと、
前記メモリより読み出した前記文字画像情報を拡大する拡大ステップと、
前記拡大ステップにより拡大された文字画像情報と、前記メモリより読み出した前記文字画像情報の一方を選択する選択ステップと、
前記第１のビデオフォーマットの映像信号に前記選択ステップにより選択された文字画像情報を合成する第２の合成ステップと、
前記第１の合成ステップにより合成された信号及び前記第２の合成ステップにより合成された信号を互いに異なる出力手段から出力するステップ
とを有することを特徴とする映像信号処理方法。
【請求項１４】
第１の解像度の第１のビデオフォーマットの映像信号を前記第１の解像度よりも低い第２の解像度の第２のビデオフォーマットの映像信号に変換する映像信号変換ステップと、
前記第２のビデオフォーマットの映像信号に、文字画像情報を保持するメモリより読み出した前記文字画像情報を合成する第１の合成ステップと、
前記メモリより読み出した前記文字画像情報を拡大する拡大ステップと、
前記第１のビデオフォーマットの映像信号に前記拡大ステップにより拡大された文字画像情報を合成する第２の合成ステップと、
前記第１の合成ステップにより合成された信号及び前記第２の合成ステップにより合成された信号を出力するステップと、
前記第１のビデオフォーマットの映像信号に前記文字画像情報を合成する際に、合成する位置に応じて前記文字画像情報の表示のオンオフを切換えるよう前記第２の合成ステップを制御する制御ステップ
とを有することを特徴とする映像信号処理方法。
【発明の詳細な説明】
【技術分野】
【０００１】
本発明は、映像信号処理装置及び方法に関する。
【背景技術】
【０００２】
従来のビットマップ画像処理構成には、特許文献１に記載されるように、アスペクト比１６：９の表示とアスペクト比４：３の表示においてそれぞれのパーツを使ってユーザに違和感を与えないで見てもらうシステムがあった。
【０００３】
図１２を参照して、従来の構成を簡単に説明する。ワイド用パーツ９１１と共通パーツ９１２とノーマルパーツ９１３を準備する。９１４であるワイドモニタ９１４への出力には、ワイド用パーツ９１１と共通パーツ９１２を使用して、ＧＵＩ画面を形成する。ノーマルモニタ９１５には、共通パーツ９１２とノーマルパーツ９１３を使用して、ＧＵＩ画面を形成する。
【特許文献１】特開平１０−１２４０２１号公報
【発明の開示】
【発明が解決しようとする課題】
【０００４】
従来の構成では、ワイド用パーツ９１１と共通パーツ９１２とノーマルパーツ９１３を準備するので、画素数が増えるとデータ量も２乗で増えて、メモリを多量に必要とするという問題点があった。
【０００５】
本発明は、このような問題点を解決する映像信号処理装置及び方法を提示することを目的とする。
【課題を解決するための手段】
【０００６】
本発明に係る映像信号処理装置は、第１の解像度の第１のビデオフォーマットの映像信号を入力する入力手段と、前記入力手段により入力された前記第１のビデオフォーマットの映像信号を前記第１の解像度よりも低い第２の解像度の第２のビデオフォーマットの映像信号に変換する映像信号変換手段と、文字画像情報を保持するメモリと、前記第１のビデオフォーマットの映像信号に前記メモリより読み出した文字画像情報を合成する第１の合成手段と、前記第１の合成手段により合成された信号を出力する第１の出力手段と、前記メモリより読み出した文字画像情報を２×２の４画素単位に縮小する縮小手段と、前記第２のビデオフォーマットの映像信号に前記縮小手段により縮小された文字画像情報を合成する第２の合成手段と、前記第１の出力手段による出力と並列して、前記第２の合成手段により合成された信号を出力する、前記第１の出力手段とは別の第２の出力手段とを有することを特徴とする。
【０００７】
本発明に係る映像信号処理装置は、第１の解像度の第１のビデオフォーマットの映像信号を入力する入力手段と、前記入力手段により入力された前記第１のビデオフォーマットの映像信号を前記第１の解像度よりも低い第２の解像度の第２のビデオフォーマットの映像信号に変換する映像信号変換手段と、文字画像情報を保持するメモリと、前記第２のビデオフォーマットの映像信号に前記メモリより読み出した文字画像情報を合成する第１の合成手段と、前記第１の合成手段により合成された信号を出力する第１の出力手段と、前記メモリより読み出した文字画像情報の合成位置に関する情報を変更する位置情報変更手段と、前記メモリより読み出した文字画像情報を拡大する拡大手段と、前記位置情報変更手段により合成位置に関する情報が変更された文字画像情報と前記拡大手段からの文字画像情報のうちの一部を選択する選択手段と、前記第１のビデオフォーマットの映像信号に前記選択手段により選択された文字画像情報を合成する第２の合成手段と、前記第２の合成手段により合成された信号を出力する第２の出力手段とを有することを特徴とする。
【０００８】
本発明に係る映像信号処理装置は、第１の解像度の第１のビデオフォーマットの映像信号を入力する入力手段と、前記入力手段により入力された前記第１のビデオフォーマットの映像信号を前記第１の解像度よりも低い第２の解像度の第２のビデオフォーマットの映像信号に変換する映像信号変換手段と、文字画像情報を保持するメモリと、前記第２のビデオフォーマットの映像信号に前記メモリより読み出した文字画像情報を合成する第１の合成手段と、前記第１の合成手段により合成された信号を出力する第１の出力手段と、前記メモリより読み出した文字画像情報を拡大する拡大手段と、前記拡大手段により拡大された文字画像情報と、前記メモリより読み出した文字画像情報の一方を選択する選択手段と、前記第１のビデオフォーマットの映像信号に前記選択手段により選択された文字画像情報を合成する第２の合成手段と、前記第１の出力手段による出力と並列して、前記第２の合成手段により合成された信号を出力する、前記第１の出力手段とは別の第２の出力手段とを有することを特徴とする。
【０００９】
本発明に係る映像信号処理装置は、第１の解像度の第１のビデオフォーマットの映像信号を入力する入力手段と、前記入力手段により入力された前記第１のビデオフォーマットの映像信号を前記第１の解像度よりも低い第２の解像度の第２のビデオフォーマットの映像信号に変換する映像信号変換手段と、文字画像情報を保持するメモリと、前記第２のビデオフォーマットの映像信号に前記メモリより読み出した文字画像情報を合成する第１の合成手段と、前記第１の合成手段により合成された信号を出力する第１の出力手段と、前記メモリより読み出した文字画像情報を拡大する拡大手段と、前記第１のビデオフォーマットの映像信号に前記拡大手段により拡大された文字画像情報を合成する第２の合成手段と、前記第２の合成手段により合成された信号を出力する第２の出力手段と、前記第１のビデオフォーマットの映像信号に前記文字画像情報を合成する際に、合成する位置に応じて前記文字画像情報の表示のオンオフを切換えるよう前記第２の合成手段を制御する制御手段とを有することを特徴とする。
【００１０】
本発明に係る映像信号処理方法は、第１の解像度の第１のビデオフォーマットの映像信号を前記第１の解像度よりも低い第２の解像度の第２のビデオフォーマットの映像信号に変換する映像信号変換ステップと、前記第１のビデオフォーマットの映像信号に、文字画像情報を保持するメモリより読み出した前記文字画像情報を合成する第１の合成ステップと、前記メモリより読み出した前記文字画像情報を２×２の４画素単位に縮小する縮小ステップと、前記第２のビデオフォーマットの映像信号に前記縮小ステップにより縮小された文字画像情報を合成する第２の合成ステップと、前記第１の合成ステップにより合成された信号及び前記第２の合成ステップにより合成された信号を互いに異なる出力手段から出力するステップとを有することを特徴とする。
【００１１】
本発明に係る映像信号処理方法は、第１の解像度の第１のビデオフォーマットの映像信号を前記第１の解像度よりも低い第２の解像度の第２のビデオフォーマットの映像信号に変換する映像信号変換ステップと、前記第２のビデオフォーマットの映像信号に、文字画像情報を保持するメモリより読み出した前記文字画像情報を合成する第１の合成ステップと、前記メモリより読み出した前記文字画像情報の合成位置に関する情報を変更する位置情報変更ステップと、前記第１のビデオフォーマットの映像信号に、前記位置情報変更ステップにより変更された合成位置に関する情報に基づいて前記文字画像情報を合成する第２の合成ステップと、前記第１の合成ステップにより合成された信号及び前記第２の合成ステップにより合成された信号を出力するステップと、前記第１のビデオフォーマットの映像信号に前記文字画像情報を合成する際に、合成する位置に応じて前記文字画像情報の表示のオンオフを切換えるよう前記第２の合成ステップを制御する制御ステップとを有することを特徴とする。
本発明に係る映像信号処理方法は、第１の解像度の第１のビデオフォーマットの映像信号を前記第１の解像度よりも低い第２の解像度の第２のビデオフォーマットの映像信号に変換する映像信号変換ステップと、前記第２のビデオフォーマットの映像信号に、文字画像情報を保持するメモリより読み出した前記文字画像情報を合成する第１の合成ステップと、前記メモリより読み出した前記文字画像情報を拡大する拡大ステップと、前記拡大ステップにより拡大された文字画像情報と、前記メモリより読み出した前記文字画像情報の一方を選択する選択ステップと、前記第１のビデオフォーマットの映像信号に前記選択ステップにより選択された文字画像情報を合成する第２の合成ステップと、前記第１の合成ステップにより合成された信号及び前記第２の合成ステップにより合成された信号を互いに異なる出力手段から出力するステップとを有することを特徴とする。
本発明に係る映像信号処理方法は、第１の解像度の第１のビデオフォーマットの映像信号を前記第１の解像度よりも低い第２の解像度の第２のビデオフォーマットの映像信号に変換する映像信号変換ステップと、前記第２のビデオフォーマットの映像信号に、文字画像情報を保持するメモリより読み出した前記文字画像情報を合成する第１の合成ステップと、前記メモリより読み出した前記文字画像情報を拡大する拡大ステップと、前記第１のビデオフォーマットの映像信号に前記拡大ステップにより拡大された文字画像情報を合成する第２の合成ステップと、前記第１の合成ステップにより合成された信号及び前記第２の合成ステップにより合成された信号を出力するステップと、前記第１のビデオフォーマットの映像信号に前記文字画像情報を合成する際に、合成する位置に応じて前記文字画像情報の表示のオンオフを切換えるよう前記第２の合成ステップを制御する制御ステップとを有することを特徴とする。
【発明の効果】
【００１２】
本発明によれば、キャラクタを複数持たずに従来のＳＤ時のキャラクターのままでＨＤ表示を行う事が可能となる。また、キャラクタ記憶手段及びビットマップ一時記憶手段を削減でき、メモリを効率的に使用でき、低コストで高画素のビットマップを実現できる。また、ＨＤ表示時にＳＤと同じビットマップから異なる大きさの表示を任意の場所に表示することが可能となる。
【発明を実施するための最良の形態】
【００１３】
以下、図面を参照して、本発明の実施例を詳細に説明する。
【実施例１】
【００１４】
図１は、本発明の一実施例の概略構成ブロック図を示す。画像信号処理回路１１１は、図７に示すレンズ４０１、撮像素子４０２及びカメラ信号処理回路４０３からなり、ＨＤ（高品位）デジタル画像信号を出力する。即ち、画像信号処理回路１１１が出力するＨＤデジタル画像信号は、レンズ４０１によりＣＣＤ撮像素子４０２に結像することによりＣＣＤ撮像素子４０２から出力される映像信号をカメラ信号処理回路４０３でＨＤ信号処理したものである。
【００１５】
画像信号処理回路１１１から出力されたデジタル信号は、２系統に分離されその一方は、ダウンコンバート回路１１７によりＨＤフォーマットからＳＤフォーマットにダウンコンバートされ、画像合成回路１１８でＳＤビットマップを合成され、コンポジット出力１２０となる。もう一方の信号は、画像合成回路１１２によりＨＤビットマップを合成され、Ｄ端子出力１１９となる。
【００１６】
マイコンシステム１２１は、図６に示すように、マイクロコンピュータ（マイコン）３１１とマイコン３１１を動作させるためのプログラムを記憶するメモリ３１２から構成されている。メモリ３１２上には、キャラクタ情報３１３も記憶されている。更に、マイコン３１１は、スイッチ手段３１４で制御され、各種デバイス３１５を制御する。このマイコンシステム１２１は、文字制御回路１１６（図１）を制御し、キャラクタ情報をＳＤＲＡＭ１１５に展開して一時記憶させ、ビットマップを表示させる。
【００１７】
また、マイコンシステム１２１は、表示位置の情報によりメモリ制御回路１１４を動作させる。メモリ制御回路１１４からのビットマップ情報は、二つに分離される。分離された一方の情報は、可変拡大回路１１３で図５にある様に縦横２倍の４倍角キャラクタに変換され、ＨＤデジタル信号に対応したＨＤキャラクタとなり、画像合成回路１１２で生成され、マイコンシステム１２１からのエリアに応じた表示のオン／オフ制御の下で画像データに合成され、Ｄ端子出力１１９となる。他方の情報は、画像合成回路１１８で生成され、マイコン３１１からのエリアに応じた表示のオン／オフ制御の下で画像データに合成され、コンポジット出力１２０となる。
【００１８】
各出力は、図７に示すコンポジット出力回路４１０を通して、アスペクト比４：３のスタンダードモニタ４１２に出力される。Ｄ端子出力１１９は、Ｄ端子出力回路４１１を介してＨＤモニタ４１３に印加される。
【００１９】
実際に記録される信号は、カメラ信号処理回路４０３及び記録信号処理回路４０５を介して、磁気テープ４０６などの磁気媒体、又は、ＳＤカード４０７などの外部メモリ回路に記録され、又は、ＵＳＢ４０８を介して外部接続機器に出力される。
【００２０】
記録信号処理は、ＳＤフォーマットとＨＤフォーマットの両方に対応する。再生時は、各フォーマットから変換されたデジタル画像信号を再生信号処理回路でＨＤ又はＳＤデジタル画像信号に変換し、記録時と同様にビデオ出力にビットマップを重畳する為のビットマップ信号処理回路４０４を介して、それぞれ、ＨＤモニタ４１３又はスタンダードモニタ４１２に出力される。
【００２１】
図８を参照して、表示エリアとビットマップエリアの関係を説明する。ＳＤ時のモニタ表示エリア５０３の少し内側にＳＤ時のビットマップ表示エリア５０４が位置し、左右上下均等に文字を表示できる。キャラクタの同じビットマップを使ってＨＤ信号に４倍角として表示した場合、ＳＤ時のビットマップを上下左右にそれぞれ２倍した表示エリア５０２に文字を表示可能である。この時のＨＤモニタの表示エリア５０１は、表示エリア５０２を囲むように配置される。これらを通常モニタに表示すると、図１０に例示するような表示となる。ＨＤモニタでは、図８に示すように表示される。
【実施例２】
【００２２】
図２は、本発明の第２実施例の概略構成ブロック図を示す。画像信号処理回路２１１は、図７に示すレンズ４０１、撮像素子４０２及びカメラ信号処理回路４０３からなり、ＨＤ（高品位）デジタル画像信号を出力する。即ち、画像信号処理回路２１１が出力するＨＤデジタル画像信号は、レンズ４０１によりＣＣＤ撮像素子４０２に結像することによりＣＣＤ撮像素子４０２から出力される映像信号をカメラ信号処理回路４０３でＨＤ信号処理したものである。
【００２３】
画像信号処理回路２１１から出力されたデジタル信号は、２系統に分離されその一方は、ダウンコンバート回路２１７によりＨＤフォーマットからＳＤフォーマットにダウンコンバートされ、画像合成回路２１８でＳＤビットマップを合成され、コンポジット出力２２０となる。もう一方の信号は、画像合成回路２１２によりＨＤビットマップを合成され、Ｄ端子出力２１９となる。
【００２４】
マイコンシステム２２１は、図６に示すように、マイクロコンピュータ（マイコン）３１１とマイコン３１１を動作させるためのプログラムを記憶するメモリ３１２から構成されている。メモリ３１２上には、キャラクタ情報３１３も記憶されている。更に、マイコン３１１は、スイッチ手段３１４で制御され、各種デバイス３１５を制御する。このマイコンシステム２２１は、文字制御回路２１６を制御し、キャラクタ情報をＳＤＲＡＭ２１５に展開して一時記憶させ、ビットマップを表示させる。
【００２５】
また、マイコンシステム２２１は、表示位置の情報によりメモリ制御回路２１４を動作させる。メモリ制御回路２１４からのビットマップ情報は、二つに分離される。分離された一方の情報は、可変拡大回路２１３で図４にある様に縦横１／２倍の１／４倍角キャラクタに変換される。ライン間引きでは画像が乱れるため４画素平均間引きで縮小キャラクターが生成される。これにより、ＳＤデジタル信号に対応したＳＤキャラクタとなり、画像合成回路２１８で生成され、マイコンシステム２２１からのエリアに応じた表示のオン／オフ制御の下で画像データに合成され、コンポジット出力２２０となる。他方の情報は、画像合成回路２１２で生成され、マイコンシステム２２１からのエリアに応じた表示のオン／オフ制御の下で画像データに合成され、Ｄ端子出力２１９となる。
【００２６】
各出力は、図７に示すコンポジット出力回路４１０を通して、アスペクト比４：３のスタンダードモニタ４１２に出力される。Ｄ端子出力２１９は、Ｄ端子出力回路４１１を介してＨＤモニタ４１３に印加される。
【００２７】
実際に記録される信号は、カメラ信号処理回路４０３及び記録信号処理回路４０５を介して、磁気テープ４０６などの磁気媒体、又は、ＳＤカード４０７などの外部メモリ回路に記録され、又は、ＵＳＢ４０８を介して外部接続機器に出力される。
【００２８】
記録信号処理は、ＳＤフォーマットとＨＤフォーマットの両方に対応する。再生時は、各フォーマットから変換されたデジタル画像信号を再生信号処理回路でＨＤ又はＳＤデジタル画像信号に変換し、記録時と同様にビデオ出力にビットマップを重畳する為のビットマップ信号処理回路４０４を介して、それぞれ、ＨＤモニタ４１３又はスタンダードモニタ４１２に出力される。
【００２９】
図８を参照して、表示エリアとビットマップエリアの関係を説明する。ＳＤ時のモニタ表示エリア５０３の少し内側にＳＤ時のビットマップ表示エリア５０４が位置し、左右上下均等に文字を表示できる。キャラクタの同じビットマップを使ってＨＤ信号に４倍角として表示した場合、ＳＤ時のビットマップを上下左右にそれぞれ２倍した表示エリア５０２に文字を表示可能である。この時のＨＤモニタの表示エリア５０１は、表示エリア５０２を囲むように配置される。これらを通常モニタに表示すると、図１０に例示するような表示となる。ＨＤモニタでは、図９に示すように表示される。
【実施例３】
【００３０】
図３は、本発明の第３実施例の概略構成ブロック図を示す。画像信号処理回路１１１１は、図７に示すレンズ４０１、撮像素子４０２及びカメラ信号処理回路４０３からなり、ＨＤ（高品位）デジタル画像信号を出力する。即ち、画像信号処理回路１１１１が出力するＨＤデジタル画像信号は、レンズ４０１によりＣＣＤ撮像素子４０２に結像することによりＣＣＤ撮像素子４０２から出力される映像信号をカメラ信号処理回路４０３でＨＤ信号処理したものである。
【００３１】
画像信号処理回路１１１１から出力されたデジタル信号は、２系統に分離されその一方は、ダウンコンバート回路１１１７によりＨＤフォーマットからＳＤフォーマットにダウンコンバートされ、画像合成回路１１１８でＳＤビットマップを合成され、コンポジット出力１１２０となる。もう一方の信号は、画像合成回路１１１２によりＨＤビットマップを合成され、Ｄ端子出力１１１９となる。
【００３２】
マイコンシステム１１２１は、図６に示すように、マイクロコンピュータ（マイコン）３１１とマイコン３１１を動作させるためのプログラムを記憶するメモリ３１２から構成されている。メモリ３１２上には、キャラクタ情報３１３も記憶されている。更に、マイコン３１１は、スイッチ手段３１４で制御され、各種デバイス３１５を制御する。このマイコンシステム１１２１は、文字制御回路１１１６を制御し、キャラクタ情報をＳＤＲＡＭ１１１５に展開して一時記憶させ、ビットマップを表示させる。
【００３３】
また、マイコンシステム１１２１は、表示位置の情報によりメモリ制御回路１１１４を動作させる。メモリ制御回路１１１４からのビットマップ情報は、三つに分離される。分離された第一の情報は、可変拡大回路１１１３で図５にある様に縦横２倍の４倍角キャラクタに変換され、ＨＤデジタル信号に対応したＨＤキャラクタとなる。分離された第二の情報は、位置情報変換手段１１３１でビットマップの位置をＳＤ時のビットマップ表示エリアを右上に移動した時で表される様な位置５０５、又は、ＳＤ時のビットマップ表示エリアを左下に移動した時で表される様な位置５０６に移動してＨＤデジタル信号に合成するため、ＨＤキャラクタの１／４倍角の大きさのキャラクタとなる。このＨＤキャラクタと１／４倍角のキャラクタが選択回路１１３２で部分的に選択され、画像合成回路１１１２で生成され、マイコン回路１１２１からのエリアに応じた表示のオン／オフ制御の下で画像データに合成され、Ｄ端子出力１１１９となる。
【００３４】
分離された第三の情報は、マスク回路１１３３で不要な部分をマスクされ、不要部分を削除したデータとなる。画像合成回路１１１８は、マイコンシステム１１２１からのエリアに応じた表示のオン／オフ制御の下で、画像データを合成し、コンポジット出力１１２０を出力する。
【００３５】
各出力は、図７に示すコンポジット出力回路４１０を通して、アスペクト比４：３のスタンダードモニタ４１２に出力される。Ｄ端子出力１１１９は、Ｄ端子出力回路４１１を介してＨＤモニタ４１３に印加される。
【００３６】
実際に記録される信号は、カメラ信号処理回路４０３及び記録信号処理回路４０５を介して、磁気テープ４０６などの磁気媒体、又は、ＳＤカード４０７などの外部メモリ回路に記録され、又は、ＵＳＢ４０８を介して外部接続機器に出力される。
【００３７】
記録信号処理は、ＳＤフォーマットとＨＤフォーマットの両方に対応する。再生時は、各フォーマットから変換されたデジタル画像信号を再生信号処理回路でＨＤ又はＳＤデジタル画像信号に変換し、記録時と同様にビデオ出力にビットマップを重畳する為のビットマップ信号処理回路４０４を介して、それぞれ、ＨＤモニタ４１３又はスタンダードモニタ４１２に出力される。
【００３８】
図８を参照して、表示エリアとビットマップエリアの関係を説明する。ＳＤ時のモニタ表示エリア５０３の少し内側にＳＤ時のビットマップ表示エリア５０４が位置し、左右上下均等に文字を表示できる。キャラクタの同じビットマップを使ってＨＤ信号に４倍角として表示した場合、ＳＤ時のビットマップを上下左右にそれぞれ２倍した表示エリア５０２に文字を表示可能である。更に、位置情報変換回路１１３１を用いることで、ＨＤモニタの表示エリア５０１内で、ＳＤ時のビットマップ表示エリアを右上に移動した時で表される様な位置５０５、又は、ＳＤ時のビットマップ表示エリアを左下に移動した時で表される様な位置５０６に移動して、小さい文字を表示する事が可能となる。
【００３９】
通常モニタでは、図１０に示すように表示される。ＨＤモニタでは、図１１に示すように表示されるが、選択回路１１３２により、四角く囲んだ部分８０２，８０３は同時には表示しないで、四角く囲んだ部分８０４を表示する。
【００４０】
特定の説明用の実施例を参照して本発明を説明したが、特許請求の範囲に規定される本発明の技術的範囲を逸脱しないで、上述の実施例に種々の変更・修整を施しうることは、本発明の属する技術分野の技術者にとって自明であり、このような変更・修整も本発明の技術的範囲に含まれる。
【図面の簡単な説明】
【００４１】
【図１】本発明の第１実施例の概略構成ブロック図である。
【図２】本発明の第２実施例の概略構成ブロック図である。
【図３】本発明の第３実施例の概略構成ブロック図である。
【図４】第１実施例に係わるビットマップイメージを説明する図である。
【図５】第２実施例に係わるビットマップイメージを説明する図である。
【図６】第１実施例と第２実施例のマイコンシステムの概略構成図である。
【図７】第１実施例と第２実施例を組み込む画像記録システムの概略構成ブロック図である。
【図８】第１実施例と第２実施例に係わるビットマップ表示エリアを説明する図である。
【図９】第１実施例と第２実施例に係わるＨＤ時のモニタ表示エリアイメージを説明する図である。
【図１０】第１実施例と第２実施例に係わるＳＤ時のモニタ表示エリアイメージを説明する図である。
【図１１】第１実施例と第２実施例に係わるＨＤ時のモニタ表示エリアイメージを説明する図である。
【図１２】従来例の概略構成ブロック図である。
【符号の説明】
【００４２】
１１１：画像信号処理回路
１１３：可変拡大回路
１１４：メモリ制御回路
１１５：ＳＤＲＡＭ
１１６：文字制御回路
１１７：ダウンコンバート回路
１１８：画像合成回路
１１９：Ｄ端子出力
１２０：コンポジット出力
１２１：マイコンシステム
２１１：画像信号処理回路
２１２：画像合成回路
２１３：可変拡大回路
２１４：メモリ制御回路
２１５：ＳＤＲＡＭ
２１６：文字制御回路
２１７：ダウンコンバート回路
２１８：画像合成回路
２１９：Ｄ端子出力
２２０：コンポジット出力
２２１：マイコンシステム
３１１：マイクロコンピュータ（マイコン）
３１２：メモリ
３１３：キャラクタ情報
３１４：スイッチ手段
３１５：各種デバイス
４０１：レンズ
４０２：撮像素子
４０３：カメラ信号処理回路
４０４：ビットマップ信号処理回路
４０５：記録信号処理回路
４０６：磁気テープ
４０７：ＳＤカード
４０８：ＵＳＢ
４１０：コンポジット出力回路
４１１：Ｄ端子出力回路
４１２：スタンダードモニタ
４１３：ＨＤモニタ
９１１：ワイド用パーツ
９１２：共通パーツ
９１３：ノーマルパーツ
１１１１：画像信号処理回路
１１１２：画像合成回路
１１１３：可変拡大回路
１１１４：メモリ制御回路
１１１５：ＳＤＲＡＭ
１１１６：文字制御回路
１１１７：ダウンコンバート回路
１１１８：画像合成回路
１１１９：Ｄ端子出力
１１２０：コンポジット出力
１１２１：マイコンシステム
１１３１：位置情報変換手段
１１３２：選択回路
１１３３：マスク回路
【図１】
0004401884.tif 000002
【図２】
0004401884.tif 000003
【図３】
0004401884.tif 000004
【図４】
0004401884.tif 000005
【図５】
0004401884.tif 000006
【図６】
0004401884.tif 000007
【図７】
0004401884.tif 000008
【図８】
0004401884.tif 000009
【図９】
0004401884.tif 000010
【図１０】
0004401884.tif 000011
【図１１】
0004401884.tif 000012
【図１２】
0004401884.tif 000013